【事件の表示】
　特許第３２２３４５３号「イージーオープン缶蓋」の請求項１に係る特許に対する特許異議の申立てについて、次のとおり決定する。
【結　論】
　訂正を認める。
　特許第３２２３４５３号の請求項１に係る特許を取り消す。
【理　由】
Ｉ．手続の経緯の概要
　本件特許３２２３４５３号の請求項１ないし３に係る発明についての出願は、平成３年８月３０日に特許出願され、平成１３年８月２４日にその発明について特許権の設定登録（平成１３年１０月２９日特許公報発行）がなされ、その後、その請求項１に係る発明の特許について、異議申立人堀金公雄により、平成１４年４月３０日付けで特許異議の申立がなされ、取消理由の通知がなされ、その指定期間内である平成１４年９月１７日に意見書の提出とともに訂正請求がなされたものである。
　
II．訂正の適否についての判断
１．訂正の内容
訂正事項ａ．本件発明の特許請求の範囲の請求項１乃至３に係る記載
「【請求項１】中央パネルの周縁に沿い、チャック・ウオールに接続する比較的深い環状溝を形成するとともに、上記中央パネルに形成せるスコアで囲まれた破断開口部を、上記中央パネルに付設したタブの挺子作用によってパーシャルオープンするようにしたイージーオープン缶蓋において、上記中央パネルの中心部と破断開口部の外側先端部を結ぶ軸線ａに略直交し、上記中央パネルの中央部を通る軸線ｂで略２分され、かつ、上記破断開口部を含まない上記中央パネルの周縁部に缶内圧力が異常高騰した時に変形する複数の変形容易部を形成したことを特徴とするイージーオープン缶蓋。
【請求項２】請求項１において、変形容易部を、中央パネルの周縁部全周に形成した補強手段を断続構造となして形成したことを特徴とするイージーオープン缶蓋。
【請求項３】請求項１において、変形容易部が切り込み構造からなることを特徴とするイージーオープン缶蓋。」
を
「【請求項１】中央パネルの周縁に沿い、チャック・ウオールに接続する比較的深い環状溝を形成するとともに、上記中央パネルに形成せるスコアで囲まれた破断開口部を、上記中央パネルに付設したタブの挺子作用によってパーシャルオープンするようにしたイージーオープン缶蓋において、上記中央パネルの中心部と破断開口部の外側先端部を結ぶ軸線ａに略直交し、上記中央パネルの中央部を通る軸線ｂで略２分され、かつ、上記破断開口部を含まない上記中央パネルの周縁部に缶内圧力が異常高騰した時に変形し、ピーキングやバックリングを発生させる複数の変形容易部を形成したことを特徴とするイージーオープン缶蓋。
【請求項２】請求項１において、変形容易部を、中央パネルの周縁部全周に形成した補強手段を断続構造となして形成したことを特徴とするイージーオープン缶蓋。
【請求項３】請求項１において、変形容易部が切り込み構造からなることを特徴とするイージーオープン缶蓋。」
と訂正する。
　
訂正事項ｂ．
（ア）明細書４ページ１４行〜１６行（特許公報３ページ５欄２０行〜２３行目）「…かつ、上記被断開口部を含まない上記中央パネルの周縁部に缶内圧力が異常高騰した時に変形する複数の変形容易部を形成したことにより達成される。…」を「…かつ、上記破断開口部を含まない上記中央パネルの周縁部に缶内圧力が異常高騰した時に変形し、ピーキングやバックリングを発生させる複数の変形容易部を形成したことにより達成される。…」と訂正する。
　
（イ）明細書６ページ２３〜２５行（特許公報３ページ６欄５０行〜４ページ７欄２行）「…中央パネル部８の岡縁部に適当間隔毎に補強手段１８，１９が施されず補強周縁部に比べ相対的に変形し易い複数の変形容易部２０を形成したものである。…」を「…中央パネル部８の周縁部に適当間隔毎に補強手段１８，１９が施されず、補強周縁部に比べ相対的に変形し易く、ピーキングやバックリングを発生させる複数の変形容易部２０を形成したものである。…」と訂正する。
　
（ウ）明細書１０ページ２行〜３行（特許公報５ページ９欄４３行〜４５行）「…（ｂ）中央パネルの周縁部に補強手段を中断し断続構造となして缶内圧力が異常高騰時に変形する複数の変形容易部を形成した缶蓋にあっては、…」を「…（ｂ）中央パネルの周縁部に補強手段を中断し断続構造となして缶内圧力が異常高騰時に変形し、ピーキングやバックリングを発生させる複数の変形容易部を形成した缶蓋にあっては、…」と訂正する。
　
（エ）明細書１０ページ８行〜９行（特許公報５ページ１０欄１行〜３行）「…（ｃ）中央パネルの周縁部に缶内圧力が異常高騰した時に変形する相対的に凹状の切り込み構造からなる複数の変形容易部を形成した缶蓋にあっては、…」を「…（ｃ）中央パネルの周縁部に缶内圧力が異常高騰した時に変形し、ピーキングやバックリングを発生させる相対的に凹状の切り込み構造からなる複数の変形容易部を形成した缶蓋にあっては、…」と訂正する。
　
２．訂正の目的の適否、新規事項の有無、及び特許請求の範囲の拡張・変更の存否
訂正事項ａについて
　訂正事項ａは、特許請求の範囲の請求項１に記載された「…缶内圧力が異常高騰した時に変形する…」を「…缶内圧力が異常高騰した時に変形し、ピーキングやバックリングを発生させる…」と限定したものであるので、特許請求の範囲の減縮を目的とした訂正に該当する。
　そして、この限定事項は、特許明細書の【０００９】段落や【００１４】段落等の記載に基づくものである。
　したがって、この訂正事項ａは、願書に添付した明細書に記載した事項の範囲内の訂正である。
　また、この訂正事項ａは、実質上特許請求の範囲を拡張し、又は変更するものではない。
　
訂正事項ｂについて
　訂正事項ｂは、請求項１を訂正したことに整合させて、明細書の関連記載を訂正するものであるので、明りょうでない記載の釈明を目的とした訂正に該当する。
　そして、上記訂正事項は、願書に添付した明細書又は図面に記載した事項の範囲内の訂正であって、新規事項の追加に該当せず、実質上特許請求の範囲を拡張し、又は変更するものではない。
　
３．むすび
　したがって、上記訂正は、特許法等の一部を改正する法律（平成６年法律第１１６号）附則第６条第１項の規定によりなお従前の例によるとされる、特許法第１２０条の４第２項の規定、及び第１２０条の４第３項において準用する平成６年法律第１１６条による改正前の特許法第１２６条第２項の規定に適合するので、該訂正を認める。
　
III．特許異議申立てについての判断
１．本件特許発明
　上記訂正が認められるので、本件の請求項１に係る発明（以下「本件発明」という）は、上記訂正に係る訂正明細書の特許請求の範囲の請求項１に記載された次のとおりのものである。
　
「【請求項１】中央パネルの周縁に沿い、チャック・ウオールに接続する比較的深い環状溝を形成するとともに、上記中央パネルに形成せるスコアで囲まれた破断開口部を、上記中央パネルに付設したタブの挺子作用によってパーシャルオープンするようにしたイージーオープン缶蓋において、上記中央パネルの中心部と破断開口部の外側先端部を結ぶ軸線ａに略直交し、上記中央パネルの中央部を通る軸線ｂで略２分され、かつ、上記破断開口部を含まない上記中央パネルの周縁部に缶内圧力が異常高騰した時に変形し、ピーキングやバックリングを発生させる複数の変形容易部を形成したことを特徴とするイージーオープン缶蓋。」
　
２．取消理由
　当審は、本件発明は、その出願の日前の出願であって、その出願後に、特開平５―７７８３１号（甲第１号証）として出願公開された特願平３−１７４１７１号出願の願書に、最初に添付した明細書又は図面（以下「先願明細書」という）に記載された発明と同一であると認められ、しかも、この出願の発明者がその出願前の出願に係る上記の発明をした者と同一であるとも、またこの出願の時において、その出願人がその出願前の出願に係る上記特許出願の出願人と同一であるとも認められないので、本件発明に係る特許は、特許法第２９条の２の規定に違反してされたものである旨の取消理由を通知した。
　
　先願明細書には、以下のａ〜ｇの記載事項が記載されている（引用箇所は、明細書の段落番号で示す）。
　
ａ．（【０００６】〜【０００７】段落）「【課題を解決するための手段】この発明は、中心部から周縁部にかけて弱化線により開口可能部が形成された缶蓋において、前記缶蓋の表面の、前記缶蓋の中心に対して前記開口可能部の反対側で且つ中心角が９０度以内の範囲に、裏面側に向かって深さ０．３ｍｍ以上陥没させてなる凹部を形成したものである。なお、前記凹部は、前記缶蓋の外周縁近傍に形成するのが望ましい。・・上記構成に係る缶蓋においては、裏面側から圧力が加わった際には、開口可能部付近が盛り上がる前に、耐圧強度の低い凹部が外側（表面側）に突出して缶内の圧力上昇が抑えられる。」
　
ｂ．（【０００８】〜【０００９】段落）「【実施例】以下、添付図面を参照して本発明の実施例を説明する。図１は本発明の一実施例に係る缶蓋を示す正面図である。同図に示される缶蓋１４も、前述の図５に示した従来の缶蓋２と同様に、略皿状の缶蓋本体１６に、弱化線１８によって、中心部から周縁部に向かう略扇形の開口可能部２０が画定され、この開口可能部２０の端部とプルオフタブ２２がリベット部２４で連結されている。
　　　・・・
　本実施例における缶蓋１４は、缶蓋本体１６の表面に、裏面側に向かって陥没させてなる略楕円形の凹部２８を形成したことを特徴とする。・・・また、この凹部２８は、図１に示されるように、缶蓋本体１６の中心Ｐに対して開口可能部２０の反対側で且つ中心角が９０度以内の範囲（以下、この範囲を「安全範囲」という。）に形成されており、且つ、缶蓋本体１６の外周縁近傍に形成されている。」
　
ｃ．（【００１１】段落）「上記のように構成された缶蓋１４にあっては、缶を床に落としてしまったり、輸送時、缶に強い衝撃を加えてしまった場合には、缶蓋１４の裏面側から表面側に向けて強い圧力が作用する。このとき、凹部２８は耐圧強度が低くなっているので、缶蓋本体１６全体が盛り上がる（いわゆるバックリング）前に、該凹部２８が表面側に突出する。これにより、缶内の圧力上昇が一部抑えられるとともに、缶内の圧力が上昇していることを知ることができる。従って、この凹部２８の突出を検出することにより、開口可能部２０が缶から取れたり、缶の中身が外にもれてしまうことを未然に防止できる。」
　
ｄ．（【００１３】段落）「また、上記凹部２８を安全範囲に形成したのは、仮に、凹部を缶蓋本体１６の安全範囲外の部位に形成したとすると、缶内が突出圧力に達して凹部が突出した際、凹部の周囲が盛り上がり、このとき開口可能部２０の付近も盛り上がって弱化線部分にせん断力が加わり、この結果、該開口可能部２０が缶蓋本体１６から取れたり、缶の中身がもれてしまうおそれがあるためである。」
　
ｅ．（【００１６】段落）「図３は缶蓋本体１６の安全範囲に、外周縁に沿って半球形の凹部３０を複数個形成したものである。これら凹部３０の深さは、前述の実施例と同様に０.３mm以上となっている。このように缶蓋本体の表面に形成する凹部の数を多数とすれば、凹部の面積を大きくした場合と同様に、凹部の耐圧強度を低下して突出圧力を低くすることができる。」
　
ｆ．（【００１７】段落）「また、上記の各例では、開缶時、開口可能部が缶蓋の表面側にめくれて缶蓋から離間するプルオフタブが装着された缶蓋に本発明を適用した例について示したが、本発明はプルオフタブの装着された缶蓋に限定されるものではない。図４は、本発明を、タブが開缶時において缶本体から離間しない、ステイオンタブの装着された缶蓋に適用した例を示す。この図に示す缶蓋３２は、缶蓋本体３４に、弱化線３６によって中心部から周縁部に向かう開口可能部３８が画定され、この開口可能部３８の端部とステイオンタブ４０とがリベット部４２で連結されている。そして、缶蓋本体３４の表面部には、安全範囲に、深さ０.３mm以上の楕円形の凹部４４が２つ形成されている。」
　
３．対比・判断
　本件発明を、先願明細書に記載されたものと比較する。
　先願明細書には、「プルオフタブが装着された缶蓋」と「ステイオンタブの装着された缶蓋」とが記載されている（記載事項ｆ）。これらは、いわゆるプルトップ・タイプの缶蓋とステイオン・タイプの缶蓋にあたるものであるが、イージーオープン缶の缶蓋とは、これらの缶蓋を含むものであるから（本件明細書【０００２】段落参照）、これらはそれぞれ、本件発明の「イージーオープン缶蓋」に相当する。
　そして、上記「プルオフタブが装着された缶蓋」には、缶蓋本体１６の周縁に沿って、チャックウォールに接続する比較的深い環状溝が形成されていることが、先願明細書の図２に開示されている。
　また、先願明細書には、かかる缶蓋の、「略皿状の缶蓋本体１６に、弱化線１８によって、中心部から周縁部に向かう略扇形の開口可能部２０が画定され、この開口可能部２０の端部とプルオフタブ２２がリベット部２４で連結されている」（記載事項ｂ）と記載されており、かかるプルオフタブ２２は梃子作用により、缶蓋の開口可能部２０の部分を開口させるものであることは明らかであることから、先願明細書の缶蓋本体１６の中央部、弱化線１８、開口可能部２０、プルオフタブ２２は、それぞれ本件発明の中央パネル、スコア、破断開口部、タブに相当する。
　そこで、先願明細書には、本件発明の前提部分である、「中央パネルの周縁に沿い、チャック・ウオールに接続する比較的深い環状溝を形成するとともに、上記中央パネルに形成せるスコアで囲まれた破断開口部を、上記中央パネルに付設したタブの挺子作用によってパーシャルオープンするようにしたイージーオープン缶蓋」が記載されていると認められる。
　
　次に、先願明細書には、「図３は缶蓋本体１６の安全範囲に、外周縁に沿って半球形の凹部３０を複数個形成したものである」（記載事項ｅ）と記載され、図３には、開口可能部２０と反対側に複数の凹部３０を形成した缶蓋の平面図が描かれている。
　そして凹部を設ける位置について、先願明細書には、「この発明は、中心部から周縁部にかけて弱化線により開口可能部が形成された缶蓋において、前記缶蓋の表面の、前記缶蓋の中心に対して前記開口可能部の反対側で且つ中心角が９０度以内の範囲に、裏面側に向かって深さ０．３ｍｍ以上陥没させてなる凹部を形成したものである。なお、前記凹部は、前記缶蓋の外周縁近傍に形成するのが望ましい」（記載事項ａ）と記載されているとともに、「缶蓋本体１６の中心Ｐに対して開口可能部２０の反対側で且つ中心角が９０度以内の範囲（以下、この範囲を「安全範囲」という。）」（記載事項ｂ）と記載されていることから、結局、先願明細書には、「缶蓋本体の中心に対して前記開口可能部の反対側で且つ中心角が９０度以内の範囲に外周縁に沿って半球形の凹部３０を複数個形成したもの」が記載されていると認められる。
　
　そして、先願明細書に「凹部２８は耐圧強度が低くなっているので、缶蓋本体１６全体が盛り上がる（いわゆるバックリング）前に、該凹部２８が表面側に突出する」（記載事項ｃ）とあることから、「凹部」は、缶蓋の他の部分より容易に変形する部分であると認められるので、「凹部」は、本件発明の「変形容易部」に対応するものである。
　ところで、本件発明の「変形容易部」は、「缶内圧力が異常高騰した時に変形し、ピーキングやバックリングを発生させる」ものであるので、この点についてさらに検討すると、先願明細書の「凹部」は、衝撃等により「缶内が突出圧力に達して凹部が突出した際、凹部の周囲が盛り上が」（記載事項ｄ）るものであり、凹部の突出変形時、凹部の周囲も盛り上がるということは、凹部の周囲にピーキングやバックリングが発生するということに他ならないから、このことは、本件発明で言う「缶内圧力が異常高騰した時に変形し、ピーキングやバックリングを発生させる」ことに相当するので、結局、先願明細書の「凹部」は、本件発明の「変形容易部」に相当する。
　
　次に、変形容易部の形成箇所について対比すると、変形容易部に相当する先願明細書の「凹部３０」は、「缶蓋本体の中心に対して前記開口可能部の反対側で且つ中心角が９０度以内の範囲に外周縁に沿って」（記載事項ａ）形成されており、「缶蓋本体の中心に対して前記開口可能部の反対側」とは、言い換えれば、「缶蓋本体の中心と開口可能部の外側先端部を結ぶ軸線に略直交し、缶蓋本体の中心を通る軸線で略２分され、かつ、上記開口可能部を含まない側」ということであるから、先願明細書記載の「凹部３０」の形成箇所は、本件発明の「変形容易部」の形成箇所に包含される。
　
　したがって、先願明細書には、本件発明の特徴部分である、「上記中央パネルの中心部と破断開口部の外側先端部を結ぶ軸線ａに略直交し、上記中央パネルの中央部を通る軸線ｂで略２分され、かつ、上記破断開口部を含まない上記中央パネルの周縁部に缶内圧力が異常高騰した時に変形し、ピーキングやバックリングを発生させる複数の変形容易部を形成したことを特徴とするイージーオープン缶蓋。」が記載されていると認められる。
　よって、本件発明は、先願明細書に記載された発明と同一である。
　
４．むすび
　以上のとおりであるから、本件発明に係る特許は、特許法第２９条の２の規定に違反してされたものであるから、特許法第１１３条第２項に該当し、取り消されるべきものである。
　よって、結論の通り決定する。
【異議決定日】
平成１５年８月２９日（２００３．８．２９）
【訂正の要旨】
審決（決定）の【理由】欄参照。
（５４）【発明の名称】
イージーオープン缶蓋
（５７）【特許請求の範囲】
　【請求項１】　中央パネルの周縁に沿い、チャック・ウォールに接続する比較的深い環状溝を形成するとともに、上記中央パネルに形成せるスコアで囲まれた破断開口部を、上記中央パネルに付設したタブの梃子作用によってパーシャルオープンするようにしたイージーオープン缶蓋において、上記中央パネルの中心部と破断開口部の外側先端部を結ぶ軸線ａに略直交し、上記中央パネルの中央部を通る軸線ｂで略２分され、かつ、上記破断開口部を含まない上記中央パネルの周縁部に缶内圧力が異常高騰した時に
変形し、ピーキングやバックリングを発生させる
　【請求項２】　請求項１において、変形容易部を、中央パネルの周縁部全周に形成した補強手段を断続構造となして形成したことを特徴とするイージーオープン缶蓋。
　【請求項３】　請求項１において、変形容易部が切り込み構造からなることを特徴とするイージーオープン缶蓋。
【発明の詳細な説明】
　【０００１】
　【産業上の利用分野】　本発明は、炭酸清涼飲料缶やビール缶など比較的高い内圧をもつ耐圧缶に用いられる缶蓋の改善に関する。
　【０００２】
　【発明の技術的背景】　一般に、この種イージーオープン缶の缶蓋としては、中央パネルに刻設された平面形状が略水滴形で、かつ、スコアで囲まれた破断開口部をタブを持ち上げて破断し、そのまま引っ張ることにより破断された開口部を缶蓋から完全に切り離す、いわゆる、プルトップ・タイプの缶蓋と、中央パネル面にとりつけたタブを持ち上げ缶蓋に刻設した開口用スコアを押し込み破断し、そのままタブを持ち上げて破断を進行させ、その際生じた破断開口部を缶蓋に連結したまま更に缶内に押し込む、いわゆる、ステイオン・タイプの缶蓋に大別されている。また、近年これらの缶蓋は、資源の節約から肉薄化される傾向にあることから、強度の向上やその他の理由で、中央パネルの周縁に沿ってチャック・ウォールに接続する比較的深い環状溝が通常の場合形成されている。
　【０００３】
　このような缶蓋を使用した耐圧缶においては、充填される内容物の量のバラツキや、運搬時における振動、あるいは、取扱い中の落下などにより内圧が異常に増大することがある。このような場合、中央パネルの周縁部には、環状溝部に及ぶピーキング（角出し現象）による開口不良を生じたり、または、巻締め部まで影響を及ぼすバックリング（大きな角出し現象）の発生が多くみられる。
　【０００４】
　上記ピーキングやバックリングの発生個所は無差別であって、その発生個所によっては開口不良を招くという不都合があるし、また、バックリングも同様にその発生個所が無差別で、発生個所がスコア近傍で発生した場合には、破断開口部が完全に破断されて内容物が噴出することは勿論のこと、破断された開口片の跳ね飛びによる事故が生じるなどの不都合がある。
　【０００５】
　【従来の技術】　上述したような課題を解決する手段として、特開昭６４−４５２５０号公報で示されるように、缶蓋を構成する中央パネルの周縁部内面全域に凹溝を付設することにより素材を加工硬化した補強手段を施したり、特開昭６４−４５２５１号公報のように、中央パネルの周縁湾曲環部に２条の圧印加工表面、つまり補強手段を施すことが提案されている。また、実開平２−１３１９３１号公報に示されているように、中央パネルの外周縁に連設形成されている比較的深い環状溝部に、内側垂直壁と断面半円形の底壁部、および、外側垂直壁とからなる強化環状溝を設け、ピーキングやバックリングの発生を防止する手段が提案されている。
　【０００６】
　【発明が解決しようとする課題】　このように、中央パネルの周縁部に圧印加工による加工硬化の補強手段を施したり、または、環状溝を強化しても、その補強には限度があり、〔０００２〕で述べた缶蓋よりもピーキングやバックリングの発生はある程度防止しうるが、例えば、缶内圧が７ｋｇ／ｃｍ２を超え７．２〜７．６ｋｇ／ｃｍ２に達すると、ピーキングやバックリングが発生する。しかも、その発生個所が無差別であることから、発生個所によっては開口不良や破断開口部の破断に至ることがあるという課題は依然として残されているのが実情である。
　【０００７】
　また、この種パーシャル・オープン缶においては、飲用の容易性を図るために、破断開口部の外側端を可能な限り中央パネルの外周縁に近接させることから、たとえ補強手段を施したとしても、破断開口部の破断事故が発生し易い傾向にある。
　【０００８】
　即ち、図１０に示すように、従来の缶蓋ＤにＡ〜Ｈのゾーンを定めておき、３０缶の対照缶の缶内圧をバックリングが発生するまで高めたところ、最初のバックリングが発生する個所として表１に示す結果が得られた。
　【表１】
　この試験結果から明らかなように、破断開口部の破断はＣ〜Ｇゾーンに多くみられ、特に、Ｄ，Ｅ，Ｆゾーンで発生したバックリングはそのまま破断開口部の破断に関連することが明らかにされた。
　【０００９】
　本発明の目的は、ある程度のピーキングやバックリングの発生は止むを得ないことを前提とし、ピーキングやバックリングの発生個所を、スコアで囲まれた破断開口部に対して影響の少ない部位に特定させ、開口不良や破断事故のない缶蓋を提供することにある。
　【００１０】
　【課題を解決するための手段】　従来技術の課題を解決する本発明のイージーオープン缶蓋は、次のような解決手段を採用する。
　【００１１】
　請求項１に記載のように、上記目的は、中央パネルの周縁に沿い、チャック・ウォールに接続する比較的深い環状溝を形成するとともに、上記中央パネルに形成せるスコアで囲まれた破断開口部を、上記中央パネルに付設したタブの梃子作用によってパーシャルオープンするようにしたイージーオープン缶蓋において、上記中央パネルの中心部と破断開口部の外側先端部を結ぶ軸線ａに略直交し、上記中央パネルの中央部を通る軸線ｂで略２分され、かつ、上記破断開口部を含まない上記中央パネルの周縁部に缶内圧力が異常高騰した時に
変形し、ピーキングやバックリングを発生させる
　【００１２】
　請求項２に記載のように、上記目的は、請求項１において、変形容易部を、中央パネルの周縁部全周に形成した補強手段を断続構造となして形成したことにより達成される。
　【００１３】
　請求項３に記載のように、上記目的は、変形容易部が切り込み構造からなることにより達成される。
　【００１４】
　【作用】　缶内に、何らかの理由で異常な圧力高騰が生じたとき、あらかじめ特定した変形容易部にピーキングやバックリングを発生させ、スコアで囲まれた破断開口部の破断事故や開口不良を未然に防止する。
　【００１５】
　【実施例】
　次に、図面について本発明実施例の詳細を説明する。
　図１は本発明の基本的構成の缶蓋を示す正面図、図２は図１のＡ−Ａ線の断面図、図３は別実施例缶蓋の正面図、図４はタブを除去した同上缶蓋の正面図、図５は更に別実施例缶蓋の正面図、図６はタブを除去した同上缶蓋の正面図、図７，図８は夫々補強手段の実施例を示す要部の断面図、図９はバックリング発生個所をテストした本発明缶蓋の正面図である。
　【００１６】
　図１，図２について本発明の基本的な缶蓋の構成を説明すると、Ａは、アルミニュウム，ブリキ材料よりなる缶蓋であって、該缶蓋Ａは次のように構成されている。ちなみに、この実施例はステイオン・タイプの缶蓋を示しているが、本発明の主旨は、ステイオン・タイプの缶蓋にのみしか適用し得ないものではなく、プルトップ・タイプの缶蓋にも適用しうることから、図示実施例のものに特定されることはない。また、本発明はタブをリベットで中央パネルに止着した缶蓋だけでなく、溶接、あるいは、接着剤を用いて止着した缶蓋にも適用しうるものである。
　【００１７】
　この種の缶蓋Ａには、一般に知られているように、カール部１，シーミング・パネル２，シーミング・パネル・ラジアス３，チャック・ウォール４，チャック・ウォール・ラジアス５，比較的深い環状溝６と、該環状溝６と内側の周縁湾曲環部７を介して連設される中央パネル８が形成されている。
　【００１８】
　上記中央パネル８には、スコア９によって囲まれたパーシャルオープンされる破断開口部１０が形成してある。１１は、その中途部がリベット１２によって上記中央パネル８の中心部に止着されたタブで、該タブ１１の内側端部には、上記破断開口部１０上に重なり、この破断開口部１０を初期開口し、遂にはこの破断開口部１０を容器（図示略）内に押し込むための作用部１１ａが形成されているとともに、上記タブ１１の外側自由端部１１ｂには、タブ１１を２本の指で挟持したときに指の腹が互いに接する開口１１ｃを設ける。
　【００１９】
　図中１３は、上記破断開口部１０の外周部にそって中央パネル８に設けた補強用ビード，１４は、上記スコア９の両外側に近接した中央パネル８部に左右対称的に設けた補強用ビードである。また、図中１５は、上記タブ１１の外側自由端部１１ｂの下方の中央パネル８部に形成した指かけ間隙形成用の指かけ凹部である。
　【００２０】
　このように構成された缶蓋Ａにおいて本発明は、上記リベット１２と破断開口部１０の外側先端部を結ぶ軸線ａに略直交し、上記リベット１２を通る軸線ｂによって略２分され、かつ、上記破断開口部１０を含まない中央パネル８の周縁部に、缶蓋Ａの半径方向にそい、かつ、数条一組の切り込み１６構造からなる複数の変形容易部１７を適当間隔毎に形成したものである。尚、上記切り込み１６の条数と、変形容易部１７の数は図示のものに特定されるものではない。
　【００２１】
　次に、図３，図４の実施例について説明する。この実施例の基本的構造は、図７，図８に示す補強手段１８，１９、または、その他の構成からなる補強手段を中央パネル８の周縁部に形成した缶蓋Ｂに関するものであり、上記缶蓋Ａと同一の構造部分には同一の符号を付すことによって構成の詳細な説明は省略する。
　【００２２】
　図３に示すように、中央パネル８の周縁部に、図７，図８に示す補強手段１８，１９、または、その他の構成からなる補強手段が施してある。そしてこの実施例は、上記軸線ｂによって略２分され、かつ、上記破断開口部１０を含まない中央パネル８の周縁部近傍に施した補強手段１８，１９を中断して断続構造となし、中央パネル部８の周縁部に適当間隔毎に補強手段１８，１９が施されず補強周縁部に比べ相対的に変形し
易く、ピーキングやバックリングを発生させる
　【００２３】
　図４は、図３で示す缶蓋Ｂからタブ１１を取り除き、スコア９と上記変形容易部２０との関係を示したもので、スコア９の両端部９ａ，９ｂ間には破断開口部１０が屈折し易い巾挟の連結パネル部８ａが形成されている。
　【００２４】
　次に、図５，図６について缶蓋Ｃの詳細を説明する。この実施例は、軸線ｂと交わる補強手段１８，１９部に、この補強手段１８，１９が施されていない変形容易部２１を設けるとともに、上記軸線ｂによって略２分され、而も、破断開口部１０を含まない中央パネル８の周縁部にも同様構造の複数の変形容易部２１を設けたものである。尚、図６は、図５の缶蓋Ｃからタブ１１を取り除き、スコア９と変形容易部２０の関係を示したもので、変形容易部２１の形成部位を除き他の構成は図４と同一であるので、同一構造部分に同一符号を付すことにより詳細な説明は省略する。
　【００２５】
　次に、図７について補強手段１８の詳細を説明すると、缶蓋Ｂ、または、Ｃの製造時に、プレス成型手段によって中央パネル８の周縁湾曲環部内面に圧印加工を行い、該部に他の部分より座屈圧力の高い溝構造からなる補強手段１８を形成する。また、図３〜図６から明らかなように、上記破断開口部１０の先端部に対応する中央パネル８の周縁部には、破断開口部１０の横巾に略等しい範囲に、他の補強手段１８より広巾で、かつ、座屈圧力の高い補強手段１８ａを連設し、破断開口部１０の先端部に近いゾーンに、バックリングなどが発生しないよう更に強化したものである。また、上記変形容易部２０，２１、および、補強手段１８ａの形成は、中央パネル８の周縁湾曲環部内面をプレス成型手段にて圧印加工し補強手段１８を形成するときに同時に行われることは当然である。
　【００２６】
　図８について補強手段１９の詳細を説明すると、缶蓋Ｂ，または、Ｃの製造時に、プレス成型手段によって中央パネル８の周縁湾曲環部に、他の部分より耐圧強度の高いビード構造の補強手段１９を形成する。また、図３〜図６に示すように、上記破断開口部１０の先端部に対応する中央パネル８の周縁部には、破断開口部１０の横幅に略等しい範囲に、他の補強手段１９より広巾で、而も、耐圧強度の高い補強手段１９ａを連設し、破断開口部１０の先端部に近いゾーンに、バックリングなどが発生しないよう更に強化したものである。また、上記変形容易部２０，２１、および、補強手段１９ａの形成は、中央パネル８の周縁湾曲環部にプレス成型手段にて補強手段１９を形成するときに同時に行われることは当然である。
　【００２７】
　【作用の説明】
　上述のような構成において、缶内に何らかの理由で異常な圧力高騰が生じたとき、あらかじめ特定した変形容易部１７，２０，２１にピーキングやバックリングを発生させ、スコア９で囲まれた破断開口部１０の破断や開口不良が未然に防止しうる。
　【００２８】
　即ち、図９に示すように、本発明の缶蓋Ｃにバックリング発生ゾーンＡ〜Ｈを定めておき、３０缶の対照缶の缶内圧を高めてテストを行った結果、表２に示すような結果が得られた。
　【表２】
　この実験結果が示すように、Ｄ，Ｅ，Ｆゾーンを除いた他のゾーンＡ，Ｂ，Ｃ，Ｇ，Ｈに夫々バックリングの発生が認められたが、その中で、破断開口部１０が破断されたのは、ＣゾーンとＧゾーンに夫々１缶だけであり、従来技術に比べて破断が著しく減少され、安全度の高いことが確認された。
　【００２９】
　上述した実施例では、変形容易部１７，２０、および、２１を中央パネル８の周縁部に当る周縁湾曲環部７、または、これの近傍に付設形成するようにしたが、上記切り込み１６による変形容易部１７、および、補強手段１８，１９に関連して形成される上記変形容易部２０，２１を、図２で示すチャック・ウォール・ラジアス５部，環状溝６部、または、該環状溝６と上記周縁湾曲環部７との中間部に付設形成しても同様な作用効果が得られることから、変形容易部１７，２０，２１の形成部位は図示実施例の部位に特定されるものではない。
　【００３０】
　また、補強手段の実施例として、図７に示すような圧印加工による座屈圧力の高い溝構造からなる補強手段１８、および、図８に示すような耐圧強度の高いビード構造の補強手段１９を例示したが、実開平２−１３１９３１号公報に示されているような、中央パネルの外周縁に連設形成されている比較的深い環状溝部に、内側垂直壁と断面半円形の底壁部、および、外側垂直壁とからなる強化環状溝構造の補強手段（図示略）としても同様な作用効果が得られることから、補強手段は図７，図８に示されたものに特定されることはない。
　【００３１】
　尚、上記強化環状溝構造の補強手段を採用する場合は、軸線ｂで略２分され、かつ、破断開口部を含まない中央パネルの領域にある補強手段を断続構造とし、補強手段が施されていない部分を変形容易部とするものである。
　【００３２】
　【発明の効果】
　上述のように本発明の構成によれば、次のような効果が得られる。
（ａ）従来技術のように、缶内圧力が異常高騰した時に起きるピーキングやバックリングの発生個所が無差別であるのに対し、ピーキングやバックリングの発生個所を、破断開口部の破断に影響を及ぼさない中央パネルの周縁部に設けた缶内圧力が異常高騰した時に変形する複数の変形容易部に特定し、開口不良や破断開口部の破断事故を未然に防止することができる。（請求項１）
（ｂ）中央パネルの周縁部に補強手段を中断し断続構造となして缶内圧力が異常高騰時に
変形し、ピーキングやバックリングを発生させる
（ｃ）中央パネルの周縁部に缶内圧力が異常高騰した時に
変形し、ピーキングやバックリングを発生させる
【図面の簡単な説明】
　【図１】　本発明の基本的構成を示す缶蓋Ａの正面図である。
　【図２】　図１のＡ−Ａ線の拡大断面図である。
　【図３】　中央パネルの周縁部に補助手段を施した缶蓋Ｂの正面図である。
　【図４】　タブを除去した缶蓋Ｂの正面図である。
　【図５】　中央パネルの周縁に補強手段を施した缶蓋Ｃの正面図である。
　【図６】　タブを除去した缶蓋Ｃの正面図である。
　【図７】　補強手段の拡大断面図である。
　【図８】　補強手段の別例の拡大断面図である。
　【図９】　バックリング発生ゾーンをテストした本発明缶蓋Ｃの正面図である。
　【図１０】　バックリング発生ゾーンをテストした従来缶蓋の正面図である。
　【符号の説明】
　Ａ　缶蓋
　Ｂ　缶蓋
　Ｃ　缶蓋
　Ｄ　缶蓋
　１　カール部
　２　シーミング・パネル
　３　シーミング・パネル・ラジアス
　４　チャック・ウォール
　５　チャック・ウォール・ラジアス
　６　環状溝
　７　周縁湾曲環部
　８　中央パネル
　８ａ　連結パネル部
　９　スコア
　９ａ　スコア端部
　９ｂ　スコア端部
　１０　破断開口部
　１１　タブ
　１１ａ　作用部
　１１ｂ　外側自由端部
　１１ｃ　開口
　１２　リベット
　１３　補強用ビード
　１４　補強用ビード
　１５　指かけ凹部
　１６　切り込み
　１７　変形容易部
　１８　補強手段
　１８ａ　補強手段
　１９　補強手段
　１９ａ　補強手段
　２０　変形容易部
　２１　変形容易部